(57)【要約】【課題】画像形成部によって画像が形成されたシートと、画像読取部によって画像が読み取られたシートとを異なる排出部に排出させること。【解決手段】画像形成装置１００において、制御部２０４は、第１給送部１４から給送された記録媒体Ｓを、画像形成手段１から画像読取ユニット３０に搬送させた場合、記録媒体Ｓを第１排出部２３に排出されるように制御する。そして、制御部２０４は、第２給送部３１から給送された原稿Ｇを、画像読取ユニット３０から画像形成手段１に搬送させた場合、原稿Ｇを第２排出部３９に排出されるように制御する。【選択図】図１
2017194611.tif 000002
【特許請求の範囲】
【請求項１】
シートを積載する第１の給送積載手段と、
シートに画像を形成する画像形成手段と、
画像が形成されたシートを、装置外に排出する第１の排出手段と、
前記第１の排出手段により排出されたシートが積載される第１の排出積載手段と、
シートを積載する第２の給送積載手段と、
シートに形成された画像を読取位置で読み取る画像読取手段と、
画像が読み取られたシートを、装置外に排出する第２の排出手段と、
前記第２の排出手段により排出されたシートが積載される第２の排出積載手段と、
前記画像形成手段を通過したシートを、前記第１の排出積載手段に積載させるか、又は前記画像読取手段に向けて搬送するかを切り替える第１の切り替え手段と、
前記画像読取手段で画像が読み取られたシートを、前記第２の排出積載手段に向けて搬送するか、又は前記画像形成手段に向けて搬送するかを切り替える第２の切り替え手段と、
シートの搬送を制御する制御手段と、を備え、
前記制御手段は、前記第１の給送積載手段から給送された第１のシートを、前記画像形成手段から前記画像読取手段に搬送させた場合、前記第１のシートを前記第１の排出積載手段に排出されるように制御し、前記第２の給送積載手段から給送された第２のシートを、前記画像読取手段から前記画像形成手段に搬送させた場合、前記第２のシートを前記第２の排出積載手段に排出されるように制御することを特徴とする画像形成装置。
【請求項２】
前記制御手段は、前記第１の給送積載手段から給送された前記第１のシートを、前記画像形成手段から前記画像読取手段に搬送させない場合、前記第１のシートを前記第１の排出積載手段に排出されるように制御し、前記第２の給送積載手段から給送された前記第２のシートを、前記画像読取手段から前記画像形成手段に搬送させない場合、前記第２のシートを前記第２の排出積載手段に排出されるように制御することを特徴とする請求項１に記載の画像形成装置。
【請求項３】
前記第１の給送積載手段から給送した前記第１のシートを、前記画像形成手段を経由させて前記第１の排出手段に排出させるように搬送可能な第１の搬送手段と、
前記第１の給送積載手段から給送した前記第１のシートを、前記画像形成手段を経由させて前記画像読取手段を経由させた後、前記第１の排出手段に排出させるように搬送可能な第２の搬送手段と、
前記第２の給送積載手段から給送した前記第２のシートを、前記画像読取手段を経由させて前記第２の排出手段に排出させるように搬送可能な第３の搬送手段と、
前記第２の給送積載手段から給送した前記第２のシートを、前記画像読取手段を経由させて前記画像形成手段を経由させた後、前記第２の排出手段に排出させるように搬送可能な第４の搬送手段と、を備えることを特徴とする請求項１又は２に記載の画像形成装置。
【請求項４】
前記第１乃至第４の搬送手段をそれぞれ制御するためのテーブルデータが記憶された記憶手段を備え、
前記制御手段が、前記テーブルデータに基づいて前記第１乃至第４の搬送手段をそれぞれシーケンス制御することを特徴とする請求項３に記載の画像形成装置。
【請求項５】
前記テーブルデータには、
前記第１の給送積載手段から給送した前記第１のシートの少なくとも第１面に前記画像形成手段で画像形成してから前記第１の排出手段に排出させる第１の制御パターンと、
前記第１の給送積載手段から給送した前記第１のシートの少なくとも第１面に前記画像形成手段で画像形成した後、少なくとも第１面に対して前記画像読取手段で画像読取してから前記第１の排出手段に排出させる第２の制御パターンと、
前記第２の給送積載手段から給送した前記第２のシートの少なくとも第１面に対して前記画像読取手段で画像読取してから前記第２の排出手段に排出させる第３の制御パターンと、
前記第２の給送積載手段から給送した前記第２のシートの少なくとも第１面に対して前記画像読取手段で画像読取した後、少なくとも第１面に対して前記画像形成手段で画像形成してから前記第２の排出手段に排出させる第４の制御パターンと、が格納されていることを特徴とする請求項４に記載の画像形成装置。
【請求項６】
前記第１の搬送手段における前記画像形成手段で前記第１、第２のシートの第１面及び第２面に画像形成する際にシートを表裏反転可能な反転搬送路と、前記第２の搬送手段における前記画像読取手段で前記第１、第２のシートの第１面及び第２面から画像を読み取った後のシートを前記画像形成手段に送る搬送路とが共用されていることを特徴とする請求項３乃至５のいずれか１項に記載の画像形成装置。
【請求項７】
前記画像読取手段が、前記第３の搬送手段に配置され、
前記第３の搬送手段は、前記第２の給送積載手段から送り出された前記第２のシートを前記画像読取手段を経由させて前記第２の排出手段に向けて搬送可能な環状に形成され、かつ前記第２の排出手段に排出される前記第２のシートを表裏反転させて前記画像読取手段に向けて再搬送する読取反転搬送路を構成することを特徴とする請求項３乃至６のいずれか１項に記載の画像形成装置。
【請求項８】
前記第３の搬送手段が、前記画像形成手段を備えた画像形成部における上部において左右方向に沿うように設けられていることを特徴とする請求項７に記載の画像形成装置。
【請求項９】
前記第３の搬送手段が、前記画像形成手段を備えた画像形成部における一側部において上下方向に沿うように設けられていることを特徴とする請求項７に記載の画像形成装置。
【発明の詳細な説明】
【技術分野】
【０００１】
本発明は、複写機やマルチファンクションプリンタ（ＭＦＰ）等の、画像読取部を有する画像形成装置に関する。
【背景技術】
【０００２】
記録媒体（シート）への画像形成処理と原稿（シート）からの画像読取処理とを実現するものとして、画像形成装置本体の上部にオートドキュメントフィーダ（ＡＤＦ）を備え、原稿の流し読みが可能な画像読取部を備えた画像形成装置が知られている。このような画像読取部を有する画像形成装置は一般に、画像形成部に記録媒体専用の搬送路が備えられ、画像読取部に原稿専用の搬送路が備えられている。つまり、原稿と記録媒体が互いの搬送路を行き来することは不可能であって、原稿は画像読取部側の排出部から排出され、記録媒体は画像形成部側の排出部から排出される。
【０００３】
これに対し、記録媒体の排出部と原稿の排出部とを共用し、画像形成後の記録媒体が画像読取部を通過してから排出される構成を備えた画像形成装置が提案されている（特許文献１参照）。
【０００４】
また、画像読取部と画像形成装置本体（装置本体）との間を原稿と記録媒体が往来可能に構成された搬送路を備える画像形成装置が提案されている（特許文献２参照）。
【先行技術文献】
【特許文献】
【０００５】
【特許文献１】特開２０１３−３４４８号公報
【特許文献２】特開２０１３−２５４１９８号公報
【発明の概要】
【発明が解決しようとする課題】
【０００６】
しかしながら、従来の構成においては、画像形成部によって画像が形成されたシートと、画像読取部によって画像が読み取られたシートが同じ排出部に排出されて混在してしまう可能性があった。
【０００７】
本発明は、画像形成部によって画像が形成されたシートと、画像読取部によって画像が読み取られたシートとを異なる排出部に排出させることを目的とする。
【課題を解決するための手段】
【０００８】
本発明は、画像形成装置において、シートを積載する第１の給送積載手段と、シートに画像を形成する画像形成手段と、画像が形成されたシートを、装置外に排出する第１の排出手段と、前記第１の排出手段により排出されたシートが積載される第１の排出積載手段と、シートを積載する第２の給送積載手段と、シートに形成された画像を読取位置で読み取る画像読取手段と、画像が読み取られたシートを、装置外に排出する第２の排出手段と、前記第２の排出手段により排出されたシートが積載される第２の排出積載手段と、前記画像形成手段を通過したシートを、前記第１の排出積載手段に積載させるか、又は前記画像読取手段に向けて搬送するかを切り替える第１の切り替え手段と、前記画像読取手段で画像が読み取られたシートを、前記第２の排出積載手段に向けて搬送するか、又は前記画像形成手段に向けて搬送するかを切り替える第２の切り替え手段と、シートの搬送を制御する制御手段と、を備え、前記制御手段は、前記第１の給送積載手段から給送された第１のシートを、前記画像形成手段から前記画像読取手段に搬送させた場合、前記第１のシートを前記第１の排出積載手段に排出されるように制御し、前記第２の給送積載手段から給送された第２のシートを、前記画像読取手段から前記画像形成手段に搬送させた場合、前記第２のシートを前記第２の排出積載手段に排出されるように制御することを特徴とする。
【発明の効果】
【０００９】
本発明によれば、画像形成部によって画像が形成されたシートと、画像読取部によって画像が読み取られたシートとを異なる排出部に排出させることが可能になる。
【図面の簡単な説明】
【００１０】
【図１】本発明の第１の実施形態に係る画像読取部を有する画像形成装置の概略断面図。
【図２】第１の実施形態に係る画像形成装置の原稿の上書き印刷プロセスの動作説明図。
【図３】第１の実施形態に係る画像形成装置の原稿の上書き印刷プロセスの動作説明図。
【図４】第１の実施形態に係る画像形成装置の原稿の上書き印刷プロセスの動作説明図。
【図５】第１の実施形態に係る画像形成装置の記録媒体の読取プロセスの動作説明図。
【図６】第１の実施形態に係る画像形成装置の記録媒体の読取プロセスの動作説明図。
【図７】第１の実施形態に係る画像形成装置の記録媒体の読取プロセスの動作説明図。
【図８】第１の実施形態に係る画像形成装置の制御系を示す制御ブロック図。
【図９】操作部の操作パネルを示す模式図。
【図１０】メモリに格納されたテーブルデータを示す模式図。
【図１１】本発明の第２の実施形態に係る画像読取部を有する画像形成装置の概略断面図。
【図１２】本発明の第３の実施形態に係る画像読取部を有する画像形成装置の概略断面図。
【図１３】第３の実施形態に係る画像形成装置の読取ユニット動作説明図。
【発明を実施するための形態】
【００１１】
＜第１の実施形態＞
図１は本発明の第１の実施形態に係る画像読取装置付き画像形成装置の概略断面構成である。本実施形態では、本発明を電子写真方式のレーザービームプリンタにシートスルー方式のイメージスキャナを備えた装置にて具現化される。ただし、本発明はこれに限定されるものではなく、その他の方式の画像形成装置に対しても広く適用可能なものである。なお、以下の説明においては、一例として第１給送部１４から給送されるシートを記録媒体Ｓと、第２給送部３１から給送されるシートを原稿Ｇと呼ぶ。しかし記録媒体Ｓと原稿Ｇの両方を指して単にシートと呼ぶこともできる。つまり、以下の説明において記録媒体Ｓと原稿Ｇは、シートと読み替えることもできる。
【００１２】
［画像形成装置］
まず、本実施形態に係る画像形成装置１００の概略構成について、図１を参照しながら説明する。図１は、本実施形態に係る画像形成装置１００を模式的に示す断面図である。
【００１３】
図１に示すように、画像形成装置１００は、画像を形成可能な画像形成部２０３と、画像形成部２０３の上部に配置された画像読取部２００とを備えている。画像形成部２０３には、記録媒体Ｓを給送するシート給送部２０５と、画像形成部２０３及び画像読取部２００等を制御する制御部（制御手段）２０４とが備えられている。
【００１４】
［画像形成部］
第１給送部１４は、記録媒体Ｓを積載する。給送ローラ１５は、第１給送部１４に積載された記録媒体Ｓを給送する。分離搬送ローラ対１６は、給送ローラ１５により給送された記録媒体Ｓを１枚ずつ分離する。なお、第１給送部１４、給送ローラ１５を合わせて、シート給送部２０５ということもできる。レジストレーションローラ対１７は、分離搬送ローラ対１６で分離、搬送された記録媒体Ｓを、感光ドラム１０の表面のトナー画像とのタイミングを合わせるようにして転写部Ｔに搬送する。レジストレーションローラ対１７から転写部Ｔへ記録媒体Ｓを搬送する搬送路を、画像形成搬送路４５という。
【００１５】
感光ドラム１０は、トナー像が形成される回転可能な像担持体である。光学ユニット１２は、感光ドラム１０にレーザー光を照射する発光部１３を備え、感光ドラム１０上に静電潜像を形成する。現像ローラ１１は、感光ドラム１０上に形成された静電潜像をトナー画像として現像する。転写ローラ１８は、感光ドラム１０上に形成されたトナー画像を記録媒体Ｓ上に転写する。なお、感光ドラム１０、光学ユニット１２、現像ローラ１１を合わせて、画像形成手段１ということもできる。また、転写部Ｔは、感光ドラム１０と転写ローラ１８によって構成される。
【００１６】
定着部１９は、記録媒体Ｓを加熱する加熱手段２０と、記録媒体Ｓを加圧する加圧ローラ２１を備え、感光ドラム１０から転写された記録媒体Ｓに転写された未定着のトナー画像を定着する。シート検知センサ２３６は、排出搬送路２７を搬送されている記録媒体Ｓの搬送状態を検知する。第１の排出手段としての排出ローラ対２２は、定着部１９により定着された記録媒体Ｓを画像形成部２０３から排出する。第１の排出積載手段としての第１排出部２３は、排出ローラ対２２により排出された記録媒体Ｓが積載される。なお、排出ローラ対２２は、不図示の切り替え機構により、回転方向を正回転と逆回転とに切り替え可能に構成されている。記録媒体Ｓが排出されきる前に、回転方向を切り替えることで、記録媒体Ｓを再び画像形成部２０３内（矢印Ｂ方向）に反転搬送することができる。また、排出ローラ対２２は、画像形成部２０３により上面（第１面）に画像形成された記録媒体Ｓの下面（第２面）に画像形成するために先端と後端を反転させて再搬送する反転再搬送手段を兼ねているということもできる。また、転写部Ｔから排出ローラ対２２へ記録媒体Ｓを搬送する搬送路を、排出搬送路２７という。
【００１７】
両面反転切り替え部材２４は、定着部１９と排出ローラ対２２との間に配置され、定着部１９で定着された記録媒体Ｓが排出ローラ対２２に搬送されるように導くか、排出ローラ対２２で反転された記録媒体が両面搬送路に搬送されるように導くかを切り替える。両面反転切り替え部材２４は回動軸２４ａを中心に実線位置と破線位置とに回動可能に支持されている。図１における実線位置（実線で示す位置）を初期位置とし、アクチュエータである第１ソレノイドＳＬ１（図８参照）の駆動で破線位置（破線で示す位置）に切り替えられる。或いは、両面反転切り替え部材２４を、図１における破線位置を初期位置として時計回り方向に不図示のバネ等で付勢して、到達した記録媒体Ｓの先端で押し開けられることで実線位置に回動させる構成にすることも可能である。実線位置にある状態において、定着部１９により定着された記録媒体Ｓが排出ローラ対２２に搬送されるように導く。破線位置にある状態において、排出ローラ対２２により反転された記録媒体Ｓが両面搬送路２５に搬送されるように導く。反転された記録媒体Ｓは、再搬送路４７、両面搬送路２５を経由して搬送される。両面搬送ローラ対２６は、記録媒体Ｓを両面搬送路２５から、再びレジストレーションローラ対１７へと搬送する。そして、記録媒体Ｓの第２面に画像形成が行われる。
【００１８】
［画像読取部］
第２給送部（第２の給送積載手段）３１は、原稿Ｇを積載する。給送ローラ３２は、第２給送部３１に積載された原稿Ｇを給送する。分離搬送ローラ対３３は、給送ローラ３２により給送された原稿Ｇを１枚ずつ分離する。搬送ローラ対３４は、分離搬送ローラ対３３により分離、搬送された原稿Ｇを画像読取手段２０１に搬送する。第２給送部３１から画像読取手段２０１に原稿Ｇを搬送する搬送路を、画像読取案内路４６という。画像読取手段２０１は、原稿Ｇが搬送される搬送路を上下から挟んで対向する位置に配置された、原稿Ｇの画像を読み取る画像読取ユニット３０を備えている。この構成を備えた画像読取手段２０１は、原稿Ｇに形成された画像を読み取る。画像読取手段としての画像読取ユニット３０は、コンタクトイメージセンサ（ＣＩＳ：Ｃｏｎｔａｃｔ  Ｉｍａｇｅ  Ｓｅｎｓｏｒ）２０８を有している。なお、ここではＣＩＳ２０８は搬送路の上方に配置されているが、下方に配置されても、両方に配置されても良い。
【００１９】
搬送ローラ対３５は、原稿搬送路４０において原稿Ｇを搬送する。搬送ローラ対３６は、下流側原稿搬送路（シート搬送路）４１において原稿Ｇを搬送する。シート検知センサ２３５は、下流側原稿搬送路４１を搬送されている原稿Ｇの搬送状態を検知する。第２の排出手段としての原稿排出ローラ対３８は、原稿Ｇを画像読取部２００から排出する。第２の排出積載手段としての第２排出部３９は、原稿排出ローラ対３８により排出された原稿Ｇが積載される。なお、原稿排出ローラ対３８は、不図示の切り替え機構により、回転方向を正回転と逆回転とに切り替え可能に構成されている。原稿Ｇが排出されきる前に、回転方向を切り替えることで、原稿Ｇを再び画像読取部２００内に反転搬送することができる。
【００２０】
読取反転切り替え部材３７は、搬送ローラ対３６と原稿排出ローラ対３８との間に配置されている。読取反転切り替え部材３７は、原稿Ｇが搬送ローラ対３６から原稿排出ローラ対３８に搬送されるように導くか、原稿排出ローラ対３８により反転された原稿Ｇが再び画像読取手段２０１に搬送されるように導くかを切り替える。読取反転切り替え部材３７は回動軸３７ａを中心に実線位置と破線位置とに回動可能に支持されている。図１における実線位置を初期位置とし、アクチュエータである第２ソレノイドＳＬ２（図８参照）の駆動により破線位置に切り替えられる。なお、読取反転切り替え部材３７を、図１における破線位置を初期位置として時計回り方向に付勢して、搬送されてくる原稿Ｇの先端で押し開けられることで実線位置に回動するように構成することも可能である。実線位置にある状態において、原稿Ｇが搬送ローラ対３６から原稿排出ローラ対３８に搬送されるように導く。破線位置にある状態において、原稿排出ローラ対３８により反転された原稿Ｇが再び画像読取手段２０１に搬送されるように導く。反転された原稿Ｇは、原稿反転搬送路５５を経由して、再び搬送ローラ対３４に搬送される。
【００２１】
［画像形成部と画像読取部との連結構成］
記録媒体読取切り替え部材（第１の切り替え手段）５３は、排出ローラ対２２から排出された記録媒体Ｓを第１排出部（第１の排出積載手段）２３に排出されるように導くか、画像読取部２００に搬送されるように導くかを切り替える部材である。記録媒体読取切り替え部材５３は回動軸５３ａを中心に実線位置と破線位置とに回動可能に支持されている。記録媒体読取切り替え部材５３は、第１排出部２３の上方において、図１の実線位置を初期位置とし、アクチュエータである第４ソレノイドＳＬ４（図８参照）の駆動により破線位置に切り替えられる。実線位置にある状態では、記録媒体Ｓを第１排出部２３に排出されるように導く。破線位置にある状態では、記録媒体Ｓを画像読取部２００に搬送されるように導く。
【００２２】
第３搬送経路としての上書き搬送路５２は、原稿Ｇを上流の原稿搬送路４０から両面搬送路２５に搬送するために、原稿搬送路４０と両面搬送路２５に接続された搬送路である。上書き切り替え部材（第２の切り替え手段）５１は、画像読取手段２０１によって画像が読み取られた原稿Ｇを下流側原稿搬送路４１に搬送されるように導くか、原稿Ｇを上書き搬送路５２に搬送されるように導くかを切り替える。上書き切り替え部材５１は、回動軸５１ａを中心に実線位置と破線位置とに回動可能に支持されている。上書き切り替え部材５１は、図１における実線位置を初期位置とし、アクチュエータである第３ソレノイドＳＬ３（図８参照）の駆動により破線位置に切り替えられる。実線位置にある状態では、原稿Ｇを下流側原稿搬送路４１に搬送されるように導く。破線位置にある状態では、原稿Ｇを上書き搬送路５２に搬送されるように導く。
【００２３】
［各搬送手段の説明］
画像形成搬送路４５、排出搬送路２７、再搬送路４７、両面搬送路２５により、第１給送部１４から給送した記録媒体（第１のシート）Ｓを画像形成手段１を経由させて第１排出部２３に排出させるように搬送可能な第１の搬送手段が構成される。
【００２４】
また、画像形成搬送路４５、排出搬送路２７、再搬送路４７、両面搬送路２５、記録媒体読取切り替え部材５３、原稿反転搬送路５５、画像読取案内路４６、原稿搬送路４０、上書き搬送路５２、下流側原稿搬送路４１により、第２の搬送手段が構成される。この第２の搬送手段は、第１給送部１４から給送した記録媒体Ｓを、画像形成手段１を経由させて画像読取ユニット３０を経由させた後、第１排出部２３に排出させるように搬送可能である。
【００２５】
画像読取案内路４６、原稿搬送路４０、下流側原稿搬送路４１、原稿反転搬送路５５により、第３の搬送手段が構成される。この第３の搬送手段には、画像読取ユニット３０が配置されている。第３の搬送手段は、第２給送部３１から給送した原稿（第２のシート）Ｇを、画像読取ユニット３０を経由させて第２排出部３９に排出させるように搬送可能である。
【００２６】
また、画像読取案内路４６、原稿搬送路４０、下流側原稿搬送路４１、原稿反転搬送路５５、上書き搬送路５２、両面搬送路２５、画像形成搬送路４５、排出搬送路２７、再搬送路４７、記録媒体読取切り替え部材５３により、第４の搬送手段が構成される。この第４の搬送手段は、第２給送部３１から給送した原稿Ｇを、画像読取ユニット３０を経由させて画像形成手段１を経由させた後、第２排出部３９に排出させるように搬送可能である。
【００２７】
上述の各搬送手段では、片面印刷、両面印刷、片面印刷読取、両面印刷読取、片面読取、両面読取、片面読取印刷、両面読取印刷の各状況下において、用いられる搬送路の順序が以下のようになる。
【００２８】
即ち、第１の搬送手段は、片面印刷の場合には、「画像形成搬送路４５→排出搬送路２７」の順に移行する（後述の印刷パターン（I）に対応）。
【００２９】
また第１の搬送手段は、両面印刷の場合には、「画像形成搬送路４５→排出搬送路２７→再搬送路４７→両面搬送路２５→画像形成搬送路４５→排出搬送路２７」の順に移行する（後述の印刷パターン（II）に対応）。
【００３０】
第２の搬送手段は、片面印刷読取の場合には、「画像形成搬送路４５→排出搬送路２７→記録媒体読取切り替え部材５３→原稿反転搬送路５５→画像読取案内路４６→原稿搬送路４０の順に移行する。さらに、「上書き搬送路５２→両面搬送路２５→画像形成搬送路→４５→排出搬送路２７」の順に移行する。これは、後述の印刷パターン（III）に対応する。
【００３１】
第２の搬送手段は、両面印刷読取の場合には、「画像形成搬送路４５→排出搬送路２７→再搬送路４７→両面搬送路２５→画像形成搬送路４５→排出搬送路２７→記録媒体読取切り替え部材５３→原稿反転搬送路５５」の順に移行する。さらに、「画像読取案内路４６→原稿搬送路４０→下流側原稿搬送路４１→原稿反転搬送路５５→画像読取案内路４６→原稿搬送路４０→上書き搬送路５２→両面搬送路２５→画像形成搬送路→４５→排出搬送路２７」の順に移行する。これは、後述の印刷パターン（IV）に対応する。
【００３２】
第３の搬送手段は、片面読取の場合には、「画像読取案内路４６→原稿搬送路４０→下流側原稿搬送路４１」の順に移行する。これは、後述の読取パターン（I）に対応する。
【００３３】
第３の搬送手段は、両面読取の場合には、「画像読取案内路４６→原稿搬送路４０→下流側原稿搬送路４１→原稿反転搬送路５５→画像読取案内路４６→原稿搬送路４０→下流側原稿搬送路４１」の順に移行する。これは、後述の読取パターン（II）に対応する。
【００３４】
第４の搬送手段は、片面読取印刷の場合には、「画像読取案内路４６→原稿搬送路４０→上書き搬送路５２→両面搬送路２５→画像形成搬送路４５→排出搬送路２７→記録媒体読取切り替え部材５３」の順に移行する。これは、後述の読取パターン（III）に対応する。
【００３５】
第４の搬送手段は、両面読取印刷の場合には、「画像読取案内路４６→原稿搬送路４０→下流側原稿搬送路４１→原稿反転搬送路５５→画像読取案内路４６→原稿搬送路４０の順に移行する。さらに、「上書き搬送路５２→両面搬送路２５→画像形成搬送路４５→排出搬送路２７→再搬送路４７→両面搬送路２５→画像形成搬送路４５→記録媒体読取切り替え部材５３」の順に移行する。これは、後述の読取パターン（IV）に対応する。
【００３６】
［制御系］
次に、図８を用いて、本実施形態における制御系について説明する。なお、図８は、本実施形態に係る画像形成装置１００の制御系を示す制御ブロック図である。
【００３７】
図８に示す制御部２０４（図１も参照）は、画像形成部２０３の画像形成動作及び画像読取部２００の画像読取動作等を制御する。制御部２０４には、ＣＩＳ２０８を有する画像読取手段２０１、画像読取部２００、画像形成手段１、給送ローラ１５や各種のローラ対１６〜２０，２２，２６，３２〜３６、シート検知センサ２３５，２３６が接続されている。さらに、制御部２０４には、テーブルデータ２２２を有し且つＣＩＳ２０８で読み取られた原稿画像情報等を記憶するメモリ（記憶手段）２０７、タッチパネル等を有する操作部２２０、切り替え手段２０６，２３７が接続されている。
【００３８】
また、制御部２０４には、両面反転切り替え部材２４を切り替え駆動する第１ソレノイドＳＬ１と、読取反転切り替え部材３７を切り替え駆動する第２ソレノイドＳＬ２とが接続されている。更に制御部２０４には、上書き切り替え部材５１を切り替え駆動する第３ソレノイドＳＬ３と、記録媒体読取切り替え部材５３を切り替え駆動する第４ソレノイドＳＬ４とが接続されている。
【００３９】
上記メモリ２０７には、上述の第１乃至第４の搬送手段をそれぞれ制御するためのテーブルデータ２２２が記憶されている。制御部２０４は、テーブルデータ２２２に基づき、以下の制御を行う。制御部２０４は、第１の搬送手段（４５，２７，２５）、第２の搬送手段（４５，２７，４７，２５，５３，５５，４６，４０，５２，４１）、第３の搬送手段（４６，４０，４１，５５）を制御する。制御部２０４はさらに、第４の搬送手段（４６，４０，５２，２５，４５，２７，４７，５３，５５，４１）を制御する。この制御では、予め定められた順序に従って各段階を逐次進めていくシーケンス制御が行われる。
【００４０】
即ち、制御部２０４は、第１給送部（第１の給送積載手段）１４から給送された記録媒体（第１のシート）を、画像形成手段１から画像読取ユニット３０に搬送させた場合、記録媒体Ｓを第１排出部２３に排出されるようにシーケンス制御する。さらに、制御部２０４は、第２給送部（第２の給送積載手段）３１から給送された原稿（第２のシート）Ｇを、画像読取ユニット３０から画像形成手段１に搬送させた場合、原稿Ｇを第２排出部（第２の排出積載手段）３９に排出されるようにシーケンス制御する。
【００４１】
また、制御部２０４は、第１給送部１４から給送された記録媒体Ｓを、画像形成手段１から画像読取ユニット３０に搬送させない場合、記録媒体Ｓを第１排出部２３に排出されるようにシーケンス制御する。また、第２給送部３１から給送された原稿Ｇを、画像読取ユニット３０から画像形成手段１に搬送させない場合、原稿Ｇを第２排出部３９に排出されるようにシーケンス制御する。
【００４２】
図９は、操作部２２０のタッチパネル等の操作パネル２２０ａを示す模式図である。図９に示すように、操作部２２０の操作パネル２２０ａには、印刷ボタン２３３及び画像読取ボタン２３４が表示されている。印刷ボタン２３３が接触操作されると、操作パネル２２０ａには、テーブルデータ２２２としての印刷パターン（I）に対応する操作ボタン２３３ａ、印刷パターン（II）に対応する操作ボタン２３３ｂが表示される。さらに、印刷パターン（III）に対応する操作ボタン２３３ｃ、印刷パターン（IV）に対応する操作ボタン２３３ｄが表示される。また、画像読取ボタン２３４が接触操作されると、操作パネル２２０ａには、読取パターン（I）に対応する操作ボタン２３４ａ、読取パターン（II）に対応する操作ボタン２３４ｂが表示される。さらに、読取パターン（III）に対応する操作ボタン２３４ｃ、読取パターン（IV）に対応する操作ボタン２３４ｄが表示される。
【００４３】
上述の印刷パターン（I）及び印刷パターン（II）により、第１給送部１４から給送した記録媒体Ｓの少なくとも第１面に画像形成手段１で画像形成してから第１排出部２３に排出させる第１の制御パターンが構成される。また、印刷パターン（III）及び印刷パターン（IV）により、第２の制御パターンが構成される。この第２の制御パターンでは、第１給送部１４から給送した記録媒体Ｓの少なくとも第１面に画像形成手段１で画像形成した後、少なくとも第１面に対して画像読取ユニット３０の読取位置において画像読取してから第１排出部２３に排出させる。
【００４４】
さらに、読取パターン（I）及び読取パターン（II）により、第２給送部３１から給送した原稿Ｇの少なくとも第１面に対して画像読取ユニット３０の読取位置において画像読取してから第２排出部３９に排出させる第３の制御パターンが構成される。また、読取パターン（III）及び読取パターン（IV）により、第４の制御パターンが構成される。この第４の制御パターンは、第２給送部３１から給送した原稿Ｇの少なくとも第１面に対して画像読取ユニット３０で画像読取した後、少なくとも第１面に対して画像形成手段１で画像形成してから第２排出部３９に排出させるものである。
【００４５】
ここで、図１０は、メモリ（記憶手段）２０７に格納されたテーブルデータ２２２を詳細に示す模式図である。図１０のように、ユーザ等により操作ボタン２３３ａが接触操作されたとき制御部２０４により制御される印刷パターン（I）は、記録媒体Ｓを第１給送部１４から給送し、画像形成手段１、第１排出部２３へと搬送するように制御する片面印刷のパターンである。
【００４６】
また、操作ボタン２３３ｂが接触操作されたとき制御部２０４により制御される印刷パターン（II）では、記録媒体Ｓを第１給送部１４から給送し、画像形成手段１に送る。そして、表裏反転させて画像形成手段１に送り、第１排出部２３へと搬送するように制御する（両面印刷のパターン）。
【００４７】
さらに、操作ボタン２３３ｃが接触操作されたとき制御部２０４により制御される印刷パターン（III）では、記録媒体Ｓを第１給送部１４から給送し、画像形成手段１に送る。そして、画像読取ユニット３０に送り、画像形成手段１（通過のみ）に送り、第１排出部２３へと搬送するように制御する（片面印刷読取のパターン）。
【００４８】
そして、操作ボタン２３３ｄが接触操作されたとき制御部２０４により制御される印刷パターン（IV）では、記録媒体Ｓを第１給送部１４から給送し、画像形成手段１に送り、表裏反転させて画像形成手段１に送る。そして、画像読取ユニット３０に送り、表裏反転させて画像読取ユニット３０に送り、画像形成手段１（通過のみ）に送り、第１排出部２３へと搬送するように制御する（両面印刷読取のパターン）。
【００４９】
また、操作ボタン２３４ａが接触操作されたとき制御部２０４により制御される読取パターン（I）では、原稿Ｇを第２給送部３１から給送し、画像読取ユニット３０に送る。そして、第２排出部３９へと搬送するように制御する（片面読取のパターン）。
【００５０】
さらに、操作ボタン２３４ｂが接触操作されたとき制御部２０４により制御される読取パターン（II）では、原稿Ｇを第２給送部３１から給送し、画像読取ユニット３０に送る。そして、表裏反転させて画像読取ユニット３０に送り、第２排出部３９へと搬送するように制御する（両面読取のパターン）。
【００５１】
また、操作ボタン２３４ｃが接触操作されたとき制御部２０４により制御される読取パターン（III）では、原稿Ｇを第２給送部３１から給送し、画像読取ユニット３０に送る。そして、画像形成手段１に送り、第２排出部３９へと搬送するように制御する（片面読取印刷のパターン）。
【００５２】
さらに、操作ボタン２３４ｄが接触操作されたとき制御部２０４により制御される読取パターン（IV）では、原稿Ｇを第２給送部３１から給送し、画像読取ユニット３０に送り、表裏反転させて画像読取ユニット３０に送る。そして、画像形成手段１に送り、表裏反転させて画像形成手段１に送り、第２排出部３９へと搬送するように制御する（両面読取印刷のパターン）。なお、制御部２０４が以上のパターン以外のパターンについての制御も実行可能であることは勿論である。
【００５３】
［画像形成プロセス］
次に、画像形成手段１における画像形成プロセスについて説明する。
【００５４】
図１において、画像形成装置１００に備えられた画像形成手段１は、周知の電子写真画像形成プロセスによってトナー像を形成する。即ち、画像形成手段１には、像担持体となる回転可能な感光ドラム１０と、感光ドラム１０と並接しトナーを保持しながら回転する現像ローラ１１とが配置されている。そして、印刷信号（印刷ジョブ信号）を受けると、光学ユニット１２が具備する発光部１３が、帯電させた感光ドラム１０の表面にレーザー光を照射し、回転している感光ドラム１０の表面に電荷による潜像を形成する。現像ローラ１１が回転しながら感光ドラム１０の表面の潜像にトナーを供給すると、感光ドラム１０の表面にトナー画像が形成される。
【００５５】
第１給送部１４にセットされた記録媒体Ｓは、給送ローラ１５と分離搬送ローラ対１６によって一枚ずつレジストレーションローラ対１７に搬送される。レジストレーションローラ対１７は、感光ドラム１０の表面のトナー画像と記録媒体Ｓの先端位置のタイミングを合わせるように、記録媒体Ｓを転写部Ｔへと搬送する。感光ドラム１０の回転により転写部Ｔに搬送されるトナー画像は、転写部Ｔに付与される印加バイアスと圧力によって記録媒体Ｓに転写される。
【００５６】
さらに記録媒体Ｓは定着部１９に搬送され、加熱手段２０からの熱と、加熱手段２０に対向する回転可能な加圧ローラ２１による圧力によって、トナー画像が記録媒体Ｓに定着される。トナー画像を定着された記録媒体Ｓは排出搬送路２７を通って排出ローラ対２２に搬送される。
【００５７】
印刷信号が片面印刷に係る信号である場合には、矢印Ａ方向に搬送されて両面反転切り替え部材２４を通過して排出ローラ対２２に到達した記録媒体Ｓは、そのまま機外（装置外）へ搬送されて画像形成部２０３上部の第１排出部２３に排出されて積載される。これにより、片面印刷の画像形成プロセスが終了する。
【００５８】
また、上記印刷信号が両面印刷に係る信号である場合に、第１面に印刷後の記録媒体Ｓが排出ローラ対２２によって搬送され、後端が両面反転切り替え部材２４を通過したことがシート検知センサ２３６で検知されると、以下のようになる。即ち、アクチュエータである第１ソレノイドＳＬ１によって、あるいは図１の時計回り方向の付勢力によって、両面反転切り替え部材２４の位置が破線位置に切り替えられ、さらに切り替え手段２０６（図８参照）によって排出ローラ対２２が逆回転される。排出ローラ対２２によって逆方向に搬送された記録媒体Ｓは、両面反転切り替え部材２４により再搬送路４７を経由して両面搬送路２５へと案内される。その後、記録媒体Ｓは、両面搬送ローラ対２６により画像形成搬送路４５のレジストレーションローラ対１７に送られる。そして、この記録媒体Ｓは、表裏を逆にして転写部Ｔおよび定着部１９へ搬送されることにより第２面にトナー画像が転写、定着され、排出ローラ対２２により第１排出部２３に排出、積載される。
【００５９】
即ち、逆回転する排出ローラ対２２により排出搬送路２７を逆方向（矢印Ｂ方向）に搬送された記録媒体Ｓは、図１における破線位置に切り替えられた両面反転切り替え部材２４により再搬送路４７を経由して両面搬送路２５に案内される。その後、この記録媒体Ｓは、表裏を反転されて両面搬送ローラ対２６によりレジストレーションローラ対１７に送られ、転写部Ｔに搬送されて第２面にトナー画像を転写される。そして、この記録媒体Ｓは、定着部１９で定着された後、正回転する排出ローラ対２２により排出されて第１排出部２３に積載される。
【００６０】
本実施形態では、反転搬送路としての両面搬送路２５と、搬送路としての両面搬送路２５とが共用されている。反転搬送路としての両面搬送路２５は、前記第１の搬送手段（４５，２７，２５）における画像形成手段１でシート（原稿Ｇ、記録媒体Ｓ）の第１面及び第２面に画像形成する際にこのシートを表裏反転可能に構成されている。搬送路としての両面搬送路２５は、前記第２の搬送手段（４５，２７，４７，２５，５３，５５，４６，４０，５２，４１）での読取ユニット３０でシート（Ｇ、Ｓ）の第１面及び第２面から画像を読み取った後のシートを画像形成手段１に送るように構成される。これにより、反転搬送路としての両面搬送路２５と搬送路としての両面搬送路２５を別々に設けることが不要となり、部品点数の削減、及びこれによるコスト削減に寄与することが可能である。
【００６１】
画像読取ユニット３０が配置された前記第３の搬送手段（４６，４０，４１，５５）は、第２給送部３１から送り出された原稿Ｇを画像形成手段１を経由させて第２排出部３９に向けて搬送可能な環状に形成されている。この第３の搬送手段は、第２排出部３９に排出される原稿Ｇを表裏反転させて画像読取ユニット３０に向けて再搬送する読取反転搬送路を構成している。この第３の搬送手段は、コンパクトな構成となっている。そして、本実施形態では、第３の搬送手段が、画像形成部２０３における上部において左右方向に沿うように設けられている。これにより、原稿Ｇ、記録媒体Ｓを左右方向に安定して送り、画像読取ユニット３０で安定して読み取ることが可能になっている。
【００６２】
［片面の原稿読取プロセス］
次に、画像読取部２００においての片面の画像読取プロセスについて、図１を参照して説明する。即ち、図１に示すように、原稿Ｇは、読取面を上向きにして第２給送部３１にセットされ、給送ローラ３２及び分離搬送ローラ対３３により１枚ずつ給送された後、画像読取案内路４６を経由して搬送ローラ対３４により搬送されて読取ユニット３０を通過する。この時、原稿Ｇの画像が画像読取ユニット３０により読み取られる。
【００６３】
そして、画像読取ユニット３０を通過した原稿Ｇは、上書き切り替え部材５１及び読取反転切り替え部材３７が図１の実線位置にある状態で、以下のようになる。即ち、この原稿Ｇは、搬送ローラ対３５及び搬送ローラ対３６により下流側原稿搬送路４１を経由して原稿排出ローラ対３８に搬送され、原稿排出ローラ対３８により排出されて第２排出部３９に積載される。
【００６４】
［両面の原稿読取プロセス］
次に、画像読取部２００においての両面の画像読取プロセスについて、図１を参照して説明する。即ち、片面の画像読取プロセスで述べたように片面の読取を完了した原稿Ｇの後端が、原稿排出ローラ対３８を通過する前に読取反転切り替え部材３７を通過したことがシート検知センサ２３５で検知される。その検知信号に基づき、制御部２０４が原稿排出ローラ対３８の回転を逆方向に切り替える。
【００６５】
これと同時に制御部２０４が読取反転切り替え部材３７を図１の破線位置に切り替えるため、原稿Ｇは、原稿搬送路４０に合流する原稿反転搬送路５５に案内され、表裏を反転された状態で読取ユニット３０を通過する。これにより、両面画像を読み取られた原稿Ｇは、片面の画像読取プロセスと同様に、原稿排出ローラ対３８により排出されて第２排出部３９に積載される。
【００６６】
［原稿への上書き印刷プロセス］
次に、原稿への上書き印刷プロセスについて、図１〜図４を用いて説明する。なお、図２〜図４は、本実施形態に係る画像形成装置１００の原稿の上書き印刷プロセスの動作を段階的に示す動作説明図である。
【００６７】
図１に示すように、原稿排出ローラ対３８の上流に配置された記録媒体読取切り替え部材５３は、第４ソレノイドＳＬ４（図８参照）により図１の実線位置と破線位置とに切り替え制御可能に構成されている。第２給送部３１から画像読取案内路４６を介して送り込まれて画像読取ユニット３０で画像を読み取られた原稿Ｇが上書き切り替え部材５１に到達したとき、上書き切り替え部材５１は、図２の実線位置に切り替えられている。
【００６８】
これにより、原稿Ｇは、上書き切り替え部材５１から上書き搬送路５２を経由して両面搬送路２５に案内され、両面搬送ローラ対２６によりレジストレーションローラ対１７に送られた後、画像形成手段１により画像読取面に上書き画像が形成される。記録媒体読取切り替え部材５３が図３の実線位置に切り替えられた状態のとき、上書き画像形成された原稿Ｇは、排出搬送路２７を経由して記録媒体読取切り替え部材５３に案内される。そして、この原稿Ｇは、図４に示すように原稿排出ローラ対３８により排出されて第２排出部３９に積載される。
【００６９】
［記録媒体の読取プロセス］
次に、記録媒体Ｓの読取プロセスについて図５〜図７を用いて説明する。なお、図５〜図７は、本実施形態に係る画像形成装置１００の記録媒体Ｓの読取プロセスの動作を段階的に示す動作説明図である。
【００７０】
即ち、記録媒体読取切り替え部材５３が図５に示す位置にあるとき、画像形成手段１で画像形成された記録媒体Ｓは、記録媒体読取切り替え部材５３により案内され、原稿排出ローラ対３８により搬送される。記録媒体Ｓの後端が読取反転切り替え部材３７を通過すると、読取反転切り替え部材３７は図６に示す位置に切り替えられる。そして、制御部２０４が原稿排出ローラ対３８を逆回転させることで、記録媒体Ｓは、原稿反転搬送路５５を経由して画像読取案内路４６に案内され、画像読取ユニット３０に送られる。ただし、この状態では記録媒体Ｓの画像形成面（読取面）が下向きとなっているため、画像読取ユニット３０で画像を読み取ることはできない。
【００７１】
記録媒体Ｓは、画像形成面が下向きのまま読取ユニット３０を通過させられ、図７に示す位置に切り替えられた上書き切り替え部材５１により搬送ローラ対３６へ案内される。この時、読取反転切り替え部材３７及び記録媒体読取切り替え部材５３が図７に示す位置に切り替えられることで、記録媒体Ｓは、表裏の面が反転された状態で原稿排出ローラ対３８へ案内される。
【００７２】
そして、記録媒体Ｓの後端が読取反転切り替え部材３７を通過した後、制御部２０４は、読取反転切り替え部材３７を図６に示す位置に切り替える。さらに、制御部２０４は、原稿排出ローラ対３８を逆回転させることで、記録媒体Ｓは再び原稿反転搬送路５５に案内され、画像読取案内路４６を経由して画像読取ユニット３０でその画像形成面（読取面）を読み取られる。その後、上書き切り替え部材５１が図５に示す位置に切り替えられる。これにより、記録媒体Ｓは、上書き搬送路５２に案内され両面搬送路２５を経由して、両面搬送ローラ対２６によりレジストレーションローラ対１７に送られ、排出ローラ対２２により排出されて第１排出部２３に積載される。
【００７３】
以上の本実施形態によれば、画像形成手段１と画像読取ユニット３０とを互いに独立して機能する構成としたうえで、画像形成手段１と画像読取ユニット３０との間を原稿Ｇや記録媒体Ｓが行き来できる搬送路を備えることができる。そして、画像形成手段１によって画像が形成された記録媒体Ｓと画像読取手段２０１によって画像が読み取られた原稿Ｇを、異なる排出部である第１排出部２３と第２排出部３９に夫々排出させることができる。つまり、記録媒体Ｓに画像形成を行う場合、及び、画像形成後に画像読取プロセスを経る場合のいずれにおいても、第１給送部１４から送り出された記録媒体Ｓは、第１排出部２３に排出される。同様に、原稿Ｇの画像読取を行う場合、及び、画像読取後に画像形成プロセスを経る場合のいずれにおいても、第２給送部３１から送り出された原稿Ｇは、第２排出部３９に排出される。そのため、同じ第１排出部２３（又は第２排出部３９）で記録媒体Ｓと原稿Ｇとが混在するような不都合が生じることなく、また一般的な画像形成装置と同様の給送、排出のパターンとなるので、ユーザが直感的に原稿Ｇと記録媒体Ｓを取り扱うことが可能になる。
【００７４】
＜第２の実施形態＞
次に、図１１を用いて、本発明の第２の実施形態に係る画像形成装置１０１について説明する。図１１は、本実施形態に係る画像読取部を有する画像形成装置１０１の概略断面構成である。なお、第１の実施形態と同様の構成部品については第１の実施形態と同様の符号をつけ、その説明を省略する。
【００７５】
本実施形態では、図１に示した画像読取ユニット３０と同様の構成を有する画像読取ユニット（画像読取手段）１２３を備えた画像読取手段２０１Ａが、画像形成手段１の側部に配置されている。即ち、図１１に示すように、画像読取部２００Ａは、図１と略同様の構成を有して画像形成手段１の側部に配置された画像読取手段２０１Ａを有している。
【００７６】
画像読取手段２０１Ａには、第３の搬送手段を構成する画像読取案内路１２１、原稿搬送路１０４、原稿搬送路１２２及び原稿反転搬送路１１１が配置されている。この第３の搬送手段（１２１，１０４，１２２，１１１）は、画像形成部２０３における一側部において上下方向に沿うように設けられている。なお、本実施形態では、画像形成搬送路４５、排出搬送路２７及び両面搬送路２５により第１の搬送手段が構成されている。また、画像形成搬送路４５、排出搬送路２７、読取搬送路１０３、原稿反転搬送路１１１、画像読取案内路１２１、原稿搬送路１０４、及び上書き搬送路１１０により第２の搬送手段が構成されている。また、原稿反転搬送路１１１、画像読取案内路１２１、原稿搬送路１０４、上書き搬送路１１０、画像形成搬送路４５、排出搬送路２７、及び読取搬送路１０３により第４の搬送手段が構成されている。
【００７７】
原稿反転搬送路１１１における原稿排出ローラ対３８と画像読取案内路１２１との間（搬送ローラ対１０８と原稿排出ローラ対３８との間）には、読取反転切り替え部材１０９が配置されている。読取反転切り替え部材１０９は、回動軸１０９ａを中心に実線位置と破線位置とに回動可能に支持されている。原稿搬送路１０４における搬送ローラ対１０７と搬送ローラ対１０８との間には、上書き切り替え部材１０５が配置されている。上書き切り替え部材１０５は、回動軸１０５ａを中心に実線位置と破線位置とに回動可能に支持されている。読取反転切り替え部材１０９及び上書き切り替え部材１０５はそれぞれ、不図示のアクチュエータにより図１１の実線位置と破線位置とに切り替え制御可能に構成されている。
【００７８】
また、原稿搬送路１２２と両面搬送路２５との間（排出ローラ対２２と両面搬送ローラ対２６との間）には、読取搬送切り替え部材１２７が配置されている。読取搬送切り替え部材１２７は、不図示のアクチュエータにより回動軸１２７ａを中心に実線位置と破線位置とに回動可能に支持されている。原稿搬送路１０４は、上書き搬送路１１０を介して両面搬送路２５に接続されている。
【００７９】
［片面の原稿読取プロセス］
まず、片面の原稿読取プロセスについて説明する。即ち、図１１に示すように、第２給送部（第２の給送積載手段）３１から送り出された原稿（シート，第２のシート）Ｇは、読取面を上向きにして搬送ローラ対１０６，１０７，１０８により原稿搬送路１０４を搬送される。この際、画像読取ユニット１２３を通過することで画像読取がなされる。
【００８０】
読取反転切り替え部材１０９及び上書き切り替え部材１０５が図１１の実線位置にあるとき、画像読取後の原稿Ｇは、原稿排出ローラ対３８により排出されて第２排出部３９に積載される。
【００８１】
［両面の原稿読取プロセス］
次に、両面の原稿読取プロセスについて説明する。即ち、片面の画像読取プロセスで述べたように、図１１において原稿Ｇは、画像読取ユニット１２３で第１面を画像読取されて、原稿排出ローラ対３８へ搬送される。その後、原稿Ｇの後端が原稿排出ローラ対３８を通過する前に、制御部２０４が原稿排出ローラ対３８を逆回転させる。この原稿Ｇは、図１１の破線位置に切り替えた読取反転切り替え部材１０９により、表裏を反転させた状態で画像読取ユニット１２３に案内され、画像読取ユニット１２３で第２面を画像読取される。
【００８２】
引き続き、原稿Ｇは、図１１の実線位置に切り替えられた上書き切り替え部材１０５及び読取反転切り替え部材１０９を経由して、原稿排出ローラ対３８により排出されて第２排出部３９に積載される。
【００８３】
［原稿への上書き印刷プロセス］
次に、原稿への上書き印刷プロセスについて説明する。即ち、第２給送部３１から給送された原稿Ｇは、画像読取ユニット１２３により画像読取され、上書き切り替え部材１０５が図１１の破線位置に切り替えられることで上書き搬送路１１０へ案内され、レジストレーションローラ対１７を経て上書き画像形成される。上書き画像形成された原稿Ｇは、図１１の実線位置に切り替えられた両面反転切り替え部材２４により排出ローラ対２２へ案内される。
【００８４】
原稿Ｇの後端が両面反転切り替え部材２４を通過すると、制御部２０４が両面反転切り替え部材２４を図１１の破線位置に切り替える。同時に、制御部２０４は排出ローラ対２２を逆方向に回転させ、原稿Ｇを読取搬送切り替え部材１２７に案内する。その後、図１１の実線位置にある読取搬送切り替え部材１２７及び読取反転切り替え部材１０９により、原稿Ｇは、読取搬送路１０３を案内されて原稿排出ローラ対３８により排出されて第２排出部３９に積載される。
【００８５】
［記録媒体の読取プロセス］
次に、記録媒体Ｓの読取プロセスについて説明する。即ち、両面反転切り替え部材２４が図１１の実線位置にある状態で、画像形成されて排出ローラ対２２により搬送されている記録媒体Ｓの後端が両面反転切り替え部材２４を通過すると、制御部２０４が両面反転切り替え部材２４を図１１の破線位置に切り替える。同時に、制御部２０４は排出ローラ対２２を逆回転させる。これにより、逆転した排出ローラ対２２により、記録媒体Ｓはシート読取切り替え部材１２７へ案内される。その後、図１１の実線位置に切り替えられた読取搬送切り替え部材１２７及び読取反転切り替え部材１０９により、記録媒体Ｓは、読取搬送路１０３を経由して原稿排出ローラ対３８に案内される。
【００８６】
記録媒体Ｓの後端が原稿排出ローラ対３８を通過する前に、制御部２０４は、原稿排出ローラ対３８を逆回転させる。これにより、図１１の破線位置に切り替えられた読取反転切り替え部材１０９により、記録媒体Ｓは、原稿反転搬送路１１１を経由して原稿搬送路１０４へ案内され、画像読取ユニット１２３により画像形成面の画像を読取られる。
【００８７】
画像読取された記録媒体Ｓは、図１１の破線位置に切り替えられた上書き切り替え部材１０５により上書き搬送路１１０に案内される。そして、この記録媒体Ｓは、レジストレーションローラ対１７と図１１の実線位置の両面反転切り替え部材２４とを経由して、排出ローラ対２２により排出されて第１排出部２３に積載される。
【００８８】
以上説明したように、本実施形態によっても、第１の実施形態と同様の効果を得ることが可能である。さらに、画像読取ユニット１２３が、定着部１９より低い位置に配置されていることで、定着部１９による熱の影響を受けにくく、画像読取ユニット１２３の読取精度低下を抑制できるという特有の効果がある。また、第３の搬送手段（１２１，１０４，１２２，１１１）が、画像形成部２０３における一側部において上下方向に沿うように設けられているので、画像形成装置１０１の上下方向をコンパクト化することが可能になる。
【００８９】
＜第３の実施形態＞
次に、図１２及び図１３を用いて、本発明の第３の実施形態に係る画像形成装置１０２について説明する。図１２は、本実施形態に係る画像読取部を有する画像形成装置１０２の概略断面構成である。なお、第１の実施形態と同様の構成部品については第１の実施形態と同様の符号をつけ、その説明を省略する。
【００９０】
本実施形態では、図１に示した画像読取ユニット３０とは構成の異なる画像読取ユニット（画像読取手段）２３１を備えた画像読取手段２０１Ｂを備えている。図１２に示すように、画像読取部２００Ｂは、図１における構成と上下の配置が逆の第２給送部（第２の給送積載手段）３１及び第２排出部（第２の排出積載手段）３９を有している。本実施形態では、画像形成部２０３における給送ローラ１５と対向する位置には、分離部材１６Ａが配置されている。
【００９１】
画像読取手段２０１Ｂには、第３の搬送手段を構成する画像読取案内路２２４、原稿反転搬送路２４０、両面搬送路２２７、搬送路２２６、及び原稿専用搬送路２１１が配置されている。この第３の搬送手段（２２４，２４０，２２７，２２６，２１１）は、画像形成部２０３における一側部において上下方向に沿うように設けられている。なお、本実施形態では、画像形成搬送路４５、搬送路２２５、両面搬送路２２７、及び両面搬送路２５により第１の搬送手段が構成されている。また、画像形成搬送路４５、搬送路２２５、両面搬送路２２７、搬送路２２６、原稿専用搬送路２１１、及び両面搬送路２５により第２の搬送手段が構成されている。また、画像読取案内路２２４、原稿反転搬送路２４０、両面搬送路２２７、搬送路２２６、原稿専用搬送路２１１、両面搬送路２５、画像形成搬送路４５、及び搬送路２２５により第４の搬送手段が構成されている。
【００９２】
本実施形態における画像読取ユニット（画像読取手段）２３１は、両面搬送路２２７と搬送路２２６との間に配置されている。この画像読取ユニット２３１は、不図示のアクチュエータにより画像読取ユニット２３１自身が略１８０度回転することで、読取面２３２を図１２に示す位置と図１３に示す位置とに切り替え制御可能に構成されている。
【００９３】
［片面の原稿読取プロセス］
まず、片面の原稿読取プロセスについて説明する。即ち図１２のように、第２給送部３１に読取面を上向きに積載された原稿Ｇは、給送ローラ３２と分離搬送ローラ対３３とにより給送され、画像読取案内路２２４と原稿反転搬送路２４０を経由し、搬送ローラ２２８，２２９により両面搬送路２２７に搬送される。搬送ローラ２２８，２２９により搬送された原稿Ｇは、画像読取ユニット２３１の読取面２３２が図１２の位置にある状態（図１２の右側を向いた状態）で両面搬送路２２７を搬送される際に画像を読み取られる。
【００９４】
読み取りが完了した原稿Ｇは、搬送ローラ対２０８により搬送される。画像読取ユニット２３１と搬送ローラ対２０８との間には、スイッチバック切り替え部材２０９が配置されている。また、搬送ローラ２２９と原稿排出ローラ対３８との間には、読取反転切り替え部材２１０が配置されている。各々は、不図示のアクチュエータにより図１２の実線位置と破線位置とに切り替え制御可能に構成されている。
【００９５】
原稿Ｇの後端がスイッチバック切り替え部材２０９を通過すると、両面搬送路２２７は、この切り替え部材２０９を図１２の破線位置に切り替え、同時に搬送ローラ対２０８の回転方向を逆転させて、原稿Ｇを原稿専用搬送路２１１に案内する。その後、原稿Ｇは、図１２の実線位置にある読取反転切り替え部材２１０を経由して、原稿排出ローラ対３８により第２排出部（第２の排出積載手段）３９に排出されて積載される。
【００９６】
［両面の原稿読取プロセス］
次に、両面の原稿読取プロセスについて説明する。即ち、図１２において、片面の原稿読取プロセスで述べたように第１面を読取された原稿Ｇは、搬送ローラ対２０８に搬送される。そして、この原稿Ｇは、後端がスイッチバック切り替え部材２０９を通過すると、回転方向を逆回転に切り替えられた搬送ローラ対２０８と、図１２の破線位置に切り替えられたスイッチバック切り替え部材２０９とにより原稿専用搬送路２１１に案内される。
【００９７】
このとき、制御部２０４が画像読取ユニット２３１の読取面２３２を図１３に示す位置へと切り替えることで、原稿Ｇの第２面の画像が読み取られる。その後、原稿Ｇは、図１２の実線位置に切り替えられた読取反転切り替え部材２１０を経由して、原稿排出ローラ対３８により排出されて第２排出部３９に積載される。
【００９８】
［原稿への上書き印刷プロセス］
次に、原稿への上書き印刷プロセスについて説明する。即ち図１２において、第２給送部３１から給送された原稿Ｇは、搬送ローラ２２８，２２９及び搬送ローラ対２０８により搬送され、画像読取ユニット２３１の読取面２３２が図１２の位置にある状態で両面搬送路２２７を搬送されることで、画像を読み取られる。
【００９９】
その後、原稿Ｇは、レジストレーションローラ対１７を経由して画像形成手段１で上書き画像形成され、両面反転切り替え部材２４が図１２の実線位置にある状態で、排出ローラ対２２へ搬送される。原稿Ｇの後端が両面反転切り替え部材２４を通過すると、制御部２０４が両面反転切り替え部材２４を図１２の破線位置に切り替え、同時に排出ローラ対２２を逆回転させて、原稿Ｇを搬送路２２５を経由して両面搬送路２２７に案内する。
【０１００】
両面搬送路２２７を搬送ローラ２２８，２２９と搬送ローラ対２０８で搬送された原稿Ｇは後端が、図１２の実線位置にあるスイッチバック切り替え部材２０９を通過すると、制御部２０４がスイッチバック切り替え部材２０９を図１２の破線位置に切り替える。同時に、制御部２０４が搬送ローラ対２０８を逆回転させて、原稿Ｇを搬送路２２６を経由して原稿専用搬送路２１１に案内する。その後、原稿Ｇは、図１２の実線位置にある読取反転切り替え部材２１０を経由して、原稿排出ローラ対３８により排出されて第２排出部３９に積載される。
【０１０１】
［記録媒体の読取プロセス］
次に、記録媒体Ｓの読取プロセスについて説明する。即ち、第１給送部１４から給送され画像形成手段１で画像形成された記録媒体が、排出ローラ対２２で搬送されその後端が、図１２の実線位置の両面反転切り替え部材２４を通過すると、制御部２０４が両面反転切り替え部材２４を図１２の破線位置に切り替える。同時に、制御部２０４が排出ローラ対２２を逆回転させるので、記録媒体Ｓが両面搬送路２２７に案内される。
【０１０２】
ただし、この状態では、記録媒体Ｓの画像形成面が画像読取ユニット２３１の読取面２３２の方向を向いていないため、画像読み取りはできない。両面搬送路２２７を搬送される記録媒体Ｓの後端が搬送ローラ対２０８を通過する前に、制御部２０４が搬送ローラ対２０８を逆回転させると共にスイッチバック切り替え部材２０９を図１２の破線位置に切り替える。これにより、記録媒体Ｓが原稿専用搬送路２１１に案内される。さらに、制御部２０４が画像読取ユニット２３１の読取面２３２を図１３に示す位置に切り替えるので、記録媒体Ｓは画像形成面の画像を読み取られる。
【０１０３】
その後、記録媒体Ｓは、図１２の実線位置にある読取反転切り替え部材２１０を経由して、原稿排出ローラ対３８に案内される。記録媒体Ｓの後端が原稿排出ローラ対３８を通過する前に、制御部２０４が原稿排出ローラ対３８を逆回転させると共に読取反転切り替え部材２１０を図１２の破線位置に切り替える。これにより、記録媒体Ｓが原稿反転搬送路２４０に案内される。その後、記録媒体Ｓは、搬送ローラ対２０８、レジストレーションローラ対１７を経由して、図１２の実線位置にある両面反転切り替え部材２４により排出ローラ対２２に案内され、第１排出部２３に排出されて積載される。
【０１０４】
以上説明した本実施形態によっても、第１の実施形態と同様の効果を得ることが可能である。また、第３の搬送手段（２２４，２４０，２２７，２２６，２１１）が、画像形成部２０３における一側部において上下方向に沿うように設けられているので、画像形成装置１０２の上下方向をコンパクト化することが可能になる。
【０１０５】
なお、前述した第１〜第３の実施形態では、原稿搬送路４０における上側に１つの画像読取ユニット３０を配置した構成例について説明した。しかしこれに限らず、原稿搬送路４０を上下から挟んで対向して原稿Ｇの上面と下面の各画像を夫々に読み取る２つの画像読取ユニットを配置する構成としても良い。
【０１０６】
また、前述した第１〜第３の実施形態では、電子写真方式の画像形成装置１００，１０１，１０２を用いて説明した。しかしこれに代えて、例えばノズルからインク液を吐出させることで記録媒体に画像を形成するインクジェット方式の画像形成装置に本発明を適用することも可能である。
【符号の説明】
【０１０７】
１…画像形成手段
１４…第１給送部（第１の給送積載手段）
２２…排出ローラ対（第１の排出手段）
２３…第１排出部（第１の排出積載手段）
２５…両面搬送路（反転搬送路，搬送路）
３０，１２３，２３１…画像読取ユニット（画像読取手段）
３１…第２給送部（第２の給送積載手段）
３８…原稿排出ローラ対（第２の排出手段）
３９…第２排出部（第２の排出積載手段）
５１…上書き切り替え部材（第２の切り替え手段）
５３…記録媒体読取切り替え部材（第１の切り替え手段）
１００，１０１，１０２…画像形成装置
２０４…制御部（制御手段）
２０７…メモリ（記憶手段）
２２２…テーブルデータ
２３３ａ…印刷パターン（I）に対応する操作ボタン
２３３ｂ…印刷パターン（II）に対応する操作ボタン
２３３ｃ…印刷パターン（III）に対応する操作ボタン
２３３ｄ…印刷パターン（IV）に対応する操作ボタン
２３４ａ…読取パターン（I）に対応する操作ボタン
２３４ｂ…読取パターン（II）に対応する操作ボタン
２３４ｃ…読取パターン（III）に対応する操作ボタン
２３４ｄ…読取パターン（IV）に対応する操作ボタン
Ｇ…原稿（シート，第２のシート）
Ｓ…記録媒体（シート，第１のシート）
【図１】
2017194611.tif 000003
【図２】
2017194611.tif 000004
【図３】
2017194611.tif 000005
【図４】
2017194611.tif 000006
【図５】
2017194611.tif 000007
【図６】
2017194611.tif 000008
【図７】
2017194611.tif 000009
【図８】
2017194611.tif 000010
【図９】
2017194611.tif 000011
【図１０】
2017194611.tif 000012
【図１１】
2017194611.tif 000013
【図１２】
2017194611.tif 000014
【図１３】
2017194611.tif 000015